(57)【要約】      （修正有）【課題】キャップが挿入された際にフェルトペン先と接し、毛管現象によりペン本体に内蔵された中綿に含浸されたインクを吸引可能な吸収体が、内部に嵌込まれているキャップを備えたフェルトペンを提供する。【解決手段】フェルトペン１は、キャップ５に設けた吸収体６が、インクに含有されたアルミフレーク、ガラスフレーク、酸化チタン、パールなどの粒径が大きく比重の重い含有物を吸引、保持しうることを特徴とする。【選択図】図１
0003141860.tif 000002
【実用新案登録請求の範囲】
【請求項１】
キャップが挿入された際にフェルトペン先と接し毛管現象によりペン本体に内蔵された中綿に含浸されたインクを吸引可能な吸収体が内部に嵌込まれているキャップを備えたフェルトペンにおいて、
前記吸収体がインクに含有されたアルミフレーク、ガラスフレーク、酸化チタン、パールなどの粒径が大きく比重の重い含有物を吸引、保持しうることを特徴とするフェルトペン。
【請求項２】
フェルトペンが、一端側にフェルトペン先を有し、他端側にプラスチックペン先を有しており、プラスチックペン先に挿入される第２キャップにも、インクを吸引可能な第２吸収体が内部に嵌込まれており、
前記第２吸収体がインクに含有されたアルミフレーク、ガラスフレーク、酸化チタン、パールなどの粒径が大きく比重の重い含有物を吸引、保持しうることを特徴とする請求項１に記載のフェルトペン。
【請求項３】
吸収体が、ポリエステル繊維、アクリル繊維、またはナイロン繊維からなっていることを特徴とする請求項１または２に記載のフェルトペン。
【請求項４】
インクに、酸化チタン、アルミニウムパウダー、ガラスフレーク、ガラスビーズ、パール顔料、蒸着フィルムのいずれかが含有されていることを特徴とする請求項１または２に記載のフェルトペン。
【考案の詳細な説明】
【技術分野】
【０００１】
この考案は、キャップが挿入された際にフェルトペン先と接し毛管現象によりペン本体に内蔵された中綿に含浸されたインクを吸引可能な吸収体が内部に嵌込まれているキャップを備えたフェルトペンの改良に関する。
【背景技術】
【０００２】
フェルトペンは、キャップを外した場合には短時間で使えなくなってしまう。
また、キャップを閉じている場合であっても、特に温度および空調条件が変わったり、保管する姿勢によってインキの保管性に悪影響を与え、使用期間が短縮される。
そこで、例えば実開平６−１６０８７号では、キャップが挿入された際ペン先と密接し、かつ多孔性の、発泡処理した或いは焼結処理した合成物質材料、特にポリビニリデン或いは弗化ポリビニリデンから成るプラグが内部に嵌込まれているキャップを備えたフェルトペンにおいて、プラグの毛管現象がペン先の毛管現象と実際に同じであるか或いはこの毛管現象より大きいこと、およびプラグが親水性であることを特徴とするキャップを備えたフェルトペンが開示されている。
しかし、上記構成では、インクに粒径が大きく比重の重い含有物が含まれている場合に、それら含有物を十分に吸引することができず、キャップを外してペンを使用する際に、含有物を有するインクをすぐには使用することができない欠点があった。
【特許文献１】実開平６−１６０８７号
【考案の開示】
【考案が解決しようとする課題】
【０００３】
この考案は、上記事情に鑑みて創案されたものであって、その主たる課題は、インクに粒径が大きく比重の重い含有物が含まれている場合であっても、それら含有物を吸収体によって十分に吸引することができ、キャップを外してペンを使用する際も直ちにインクの特徴を表すことができるフェルトペンを提供することにある。
【課題を解決するための手段】
【０００４】
上記課題を解決するために、請求項１の考案では、
キャップが挿入された際にフェルトペン先と接し毛管現象によりペン本体に内蔵された中綿に含浸されたインクを吸引可能な吸収体が内部に嵌込まれているキャップを備えたフェルトペンにおいて、
前記吸収体がインクに含有されたアルミフレーク、ガラスフレーク、酸化チタン、パールなどの粒径が大きく比重の重い含有物を吸引、保持しうることを特徴とする。
また、請求項２の考案では、
前記フェルトペンが、一端側にフェルトペン先を有し、他端側にプラスチックペン先を有しており、プラスチックペン先に挿入される第２キャップにも、インクを吸引可能な第２吸収体が内部に嵌込まれており、
前記第２吸収体がインクに含有されたアルミフレーク、ガラスフレーク、酸化チタン、パールなどの粒径が大きく比重の重い含有物を吸引、保持しうることを特徴とする。
また、請求項３の考案では、
前記吸収体が、ポリエステル繊維、アクリル繊維、またはナイロン繊維からなっていることを特徴とする。
更に、請求項４の考案では、
前記インクに、酸化チタン、アルミニウムパウダー、ガラスフレーク、ガラスビーズ、パール顔料、蒸着フィルムのいずれかが含有されていることを特徴とする。
【考案の効果】
【０００５】
この考案は上記のように吸収体によりインク内の粒径が大きく比重の重い含有物をペン先と接する部分の近傍で保持するので、再使用に際して、これらの含有物をペン先に補充した状態で直ちに使用することができ、含有物によるインクの特性を活かした筆記をすぐに行うことができて極めて有益である。
【考案を実施するための最良の形態】
【０００６】
以下に、この考案の実施の形態を図で以下説明する。
以下に、この考案のフェルトペンの好適実施例について図面を参照しながら説明する。
【実施例１】
【０００７】
図１および図２に示すフェルトペン１は、ペン本体２と、該ペン本体に内蔵されたインク貯蔵部の一例としての中綿３と、ペン本体２の一方の端部に保持されたフェルトペン先４と、該フェルトペン先４を覆って前記ペン本体２に嵌着されるキャップ５と、該キャップ５内に設けられて前記ペン本体２に嵌着した際に前記フェルトペン先４と接触する吸収体６とからなっている。
【０００８】
ペン本体２は略筒形状からなっており、インク貯蔵部となる中綿３を充填している。
該中綿３は、ポリエステル繊維またはポリプロピレン繊維からなっており、３デニールから１５デニールのものが用いられている。
【０００９】
この中綿３にはインクが含浸されている。
インクの内容物としては、粒径が大きく比重の重い含有物として、例えば酸化チタン、アルミニウムパウダー、ガラスフレーク、ガラスビーズ、パール顔料、蒸着フィルムの少なくともいずれか１つ含有されており、約３ミクロンから１００ミクロンの範囲となっている。
【００１０】
前記ペン本体２の先端にはフェルトペン先４が保持されており、内端側が中綿３に挿入されており、外端側がペン本体２から外方へ突出している。
このフェルトペン先４は、弗化ビニルデンからなっており、コア径は１．０ｍｍ〜２ｍｍに設定されているが、その他公知のものを用いることができる。
【００１１】
次ぎに、キャップ５は、前記ペン本体２の先端に嵌脱可能に掛止められる一面が開放された公知形状の筒体からなっている。
このキャップ５には、該キャップ５をペン本体２に嵌着した際に、先端が前記ペン本体２から突出したフェルトペン先４と略隙間無く接するように吸収体６が嵌着されている。
【００１２】
吸収体６は、ポリエステル長繊維、ポリエステル短繊維、アクリル繊維、ナイロン繊維などで、２デニールから２０デニールのものがキャップ内フィルターとして用いられている。
【００１３】
上記構成からなっているので、中綿３に含浸されているインクは、毛管現象でフェルトペン先４に吸引されて、使用に供される。
また、キャップ５を閉じることで、フェルトペン先４に保持されているインクは吸収体６により吸収され、インクの粒径や比重の大きな含有物は、吸収体６の先端側に滞って保持される。
【００１４】
これにより、キャップ５を閉じた場合でも、フェルトペン先４にはインクの粒径や比重の大きな含有物が接しているので、再使用時には、吸収体６から含有物を含んだインクが供給されることになり、直ちにインクの特性を活かして筆記に供することができる。
【実施例２】
【００１５】
図３および図４に示すフェルトペン１は、ペン本体２の一端側にフェルトペン先４を有し、他端側にプラスチックペン先７を有している。
また、プラスチックペン先７を覆い、ペン本体２の他端側に着脱可能に掛止められる第２キャップ８が設けられており、該第２キャップ８にも、インクを吸引可能な第２吸収体９が内部に嵌込まれている。
その他の構成は、前記実施例１と同様なので、同一構成には同一の符号を付してその説明を省略する。
【００１６】
プラスチックペン先７は、その内端側が中綿３の他端側に挿入されており、外端側が、ペン本体２の他端側から突出して保持されている。
このプラスチックペン先７は、弗化ビニルデンからなっており、コア径が１．０ｍｍから２．０ｍｍからなっているが、上記範囲に限定されない。
【００１７】
次ぎに、第２キャップ８は、前記ペン本体２の先端に嵌脱可能に掛止められる一面が開放された公知形状の筒体からなっている。
この第２キャップ８には、該第２キャップ８をペン本体２に嵌着した際に、先端が前記ペン本体２から突出したプラスチックペン先７の先端と略隙間無く接するように第２吸収体９が嵌着されている。
【００１８】
第２吸収体９は前記吸収体６と同様に、ポリエステル長繊維、ポリエステル短繊維、アクリル繊維、ナイロン繊維などで、２デニールから２０デニールのものがキャップ内フィルターとして用いられている。
【００１９】
上記構成からなっているので、第２吸収体９には、プラスチックペン先７を介して中綿３に含浸されているインクが吸収され、且つ、この場合もインクの粒径や比重の大きな含有物は、第２吸収体９の先端側に滞って保持されので、再使用に際してもインクの特性を活かしてスムーズに筆記することができる。
【００２０】
上記実施例２では、他方のペン先をプラスチックペン先７としたが、小径のフェルトペン先を用いてもよい。
その他、要するにこの考案の要旨を変更しない範囲で種々設計変更しうること勿論である。
【図面の簡単な説明】
【００２１】
【図１】実施例１のフェルトペンの側面図である。
【図２】フェルトペン先きをキャップに挿入する状態を示した図である。
【図３】実施例２のフェルトペンの側面図である。
【図４】プラスチックペン先を第２キャップに挿入する状態を示した図である。
【符号の説明】
【００２２】
１    フェルトペン
２    ペン本体
３    中綿
４    フェルトペン先
５    キャップ
６    吸収体
７    プラスチックペン先
８    第２キャップ
９    第２吸収体
【図１】
0003141860.tif 000003
【図２】
0003141860.tif 000004
【図３】
0003141860.tif 000005
【図４】
0003141860.tif 000006